(57)【要約】【課題】グリップ部の肉厚を厚くすることなく、グリップ部の強度を向上させ、持ち易く、かつ安定して内容液を注ぐ出すことができる、省資源化を達成したピンチグリップ式ボトル型容器を提供すること。【解決手段】胴部の左右両側より指当て用の凹部を対向させて設け、両凹部と、両凹部の間に位置する背壁とで片手で握れるグリップ部を胴部に形成してなる合成樹脂製のピンチグリップ式ボトル型容器において、背壁に、左右方向に延びる段部を形成した。  これにより、グリップ部の強度が増加し、薄肉に形成した場合であっても、グリップ部を握って容器を持ち上げた際に変形を起こさず、安定して容器を取り扱うことができる。【選択図】図３
2007145390.tif 000002
【特許請求の範囲】
【請求項１】
胴部側壁に指当て用の凹部を、該胴部の左右両側より対向させて形成し、該両凹部と、該両凹部の間に位置する背壁とで片手で握れるグリップ部を前記胴部に形成してなる合成樹脂製のピンチグリップ式ボトル型容器において、
前記背壁に、左右方向に延びる段部を形成したピンチグリップ式ボトル型容器。
【請求項２】
段部は、容器の外方に突出したリブである請求項１に記載のピンチグリップ式ボトル型容器。
【請求項３】
一方の凹部に親指を当て、他方の凹部に他の指を当ててグリップ部を握った際、その手の掌に当接する位置にリブを形成した請求項２に記載のピンチグリップ式ボトル型容器。
【発明の詳細な説明】
【技術分野】
【０００１】
本発明は、胴部側壁にグリップ部（把手）を、胴部と一体に形成したピンチグリップ式ボトル型容器に関する。
【背景技術】
【０００２】
従来、グリップ部を具えた大型合成樹脂製ボトル型容器としては、把手体を別途成形し、容器本体に把手体を取り付ける構成のボトル型容器と、胴部側壁に両側より、指が入れられる凹部を対向して形成し、凹部の間を掴めるようにしてグリップ部を一体に形成したピンチグリップ式ボトル型容器が知られている。
【０００３】
このピンチグリップ式ボトル型容器は、別途成形した把手体を容器本体に取り付ける構成のボトル型容器に比べて、製造工程が簡素化でき、製造コストを低減し、更に消費される樹脂材料を低減させて省資源化が図れる点など、多くの利点がある。
【０００４】
【特許文献１】特開平０５−１２４６４１号公報
【発明の開示】
【発明が解決しようとする課題】
【０００５】
一般にピンチグリップ式ボトル型容器は収納量が大きく、内容液を収納した状態では非常に重量が大きくなる。したがって、ピンチグリップ式ボトル型容器のグリップ部には、ピンチグリップ式ボトル型容器を持ち上げたり、内容液を注ぎだすために傾けると非常に大きな力がかかっていた。
【０００６】
一方省資源化を図るためピンチグリップ式ボトル型容器を薄肉に形成すると、グリップ部の肉厚も薄くなり、両凹部の間に位置する背壁の強度が低下する。すると、容器を持ち上げてグリップ部に力がかかったときに背壁が耐えられず容器外方に湾曲してしまうおそれがある。仮に容器を持ち上げた際にグリップ部が変形すると、容器を安定して保持できず、また注ぎ口が不安定になって注ぎにくい容器となってしまう。
【０００７】
本発明は、グリップ部の肉厚を厚くすることなく、グリップ部の強度を向上させ、持ち易く、かつ安定して内容液を注ぐ出すことができる、省資源化を達成したピンチグリップ式ボトル型容器を提供することを目的とする。
【課題を解決するための手段】
【０００８】
本発明は、上記課題を解決するため次のようにピンチグリップ式ボトル型容器を構成した。
【０００９】
１、胴部側壁に指当て用の凹部を、胴部の左右両側より対向させて設け、胴部に、両凹部と、両凹部の間に位置する背壁とで片手で握れるグリップ部を形成してなる合成樹脂製のピンチグリップ式ボトル型容器において、背壁に、左右方向に延びる段部を形成した。
【００１０】
２、１に記載のピンチグリップ式ボトル型容器において、段部を、胴部の外方に突出したリブとした。
【００１１】
３、２に記載のピンチグリップ式ボトル型容器において、一方の凹部に親指を当て、他方の凹部に他の指を当ててグリップ部を握った際、その掌に当接する位置にリブを形成した。
【００１２】
凹部は、容器後方の側壁に対向して形成してあり、一方の凹部に親指を位置させ、他方の凹部に親指以外の他の指を位置させ、片手で把持できる間隔で設けられている。凹部は、凹部内に仕切りのリブを具え、指先の腹を内部に押し付けられる複数の凹みが形成してある。またグリップ部を右手と左手のいずれでも把持できるよう、両凹部を左右均等に形成するのが好ましい。
【００１３】
また、グリップ部は容器の中心軸に近づけて形成することが、容器を持ち上げた際のバランスをよくする点から好ましい。
【００１４】
段部は、凹部間に位置する背壁を平坦面とせず、左右方向から背壁を押圧する押圧力に対抗し、変形するのを防止するように背壁を補強する機能を有していればよい。例えば、左右方向に延びた段差であったり、溝や突条（リブ）である。
【００１５】
掌がリブに押し付けられるためには、グリップ部を把持した際、掌が背壁に押し付けられるように凹部の位置や背壁の幅などを適宜な値に形成する。そして、グリップ部を片手で握ると、リブを介して容器を持ち上げる方向に力が加えられるようにする。
【発明の効果】
【００１６】
本発明のピンチグリップ式ボトル型容器は、次に示す効果を有している。
【００１７】
グリップ部に設けられた段部により、グリップ部は、左右方向から加えられる力に対する強度が増大し、グリップ部を強く把持しても、また容器を持ち上げて重みがかかった場合でもグリップ部が変形することはなく、安定して容器を取り扱うことができる。
【００１８】
段部やリブ等は、容器をブロー成形で形成する際に同時に背壁に設けることができ、製造工程を複雑にしたり、成形の手間を増加させることがない。したがって、薄肉のピンチグリップ式ボトル型容器を安価に提供できる。
【００１９】
またグリップ部の一方の凹部に親指を差し入れ、他方の凹部に人差し指などその他の指を差し入れて握ると、掌が背壁のリブに押し付けられるので、容器が滑り易い樹脂で形成されていても、グリップ部に掌を押し付けて容器を持ち上げる力の一部としてうまく作用させることができる。従来、指先にだけ力をかけて容器を取り扱っていたグリップ部を、親指と、親指以外の指で挟んで把持したとき、その掌をリブにかけ、掌を背壁に押し付けて保持力とすることができる。
【発明を実施するための最良の形態】
【００２０】
本発明にかかるピンチグリップ式ボトル型容器の一実施形態を、図面を参照して説明する。
【００２１】
図１に、ピンチグリップ式ボトル型容器１を示す。ピンチグリップ式ボトル型容器１は、大型合成樹脂製２軸延伸ブロー成形品であり、筒状の胴部２の下端に底部６を具え、胴部２の上端に、上方に縮径したテーパー筒状の肩部８を介して、口部１０を具えている。底部６は、ピンチグリップ式ボトル型容器１を立たせるための座機能を有している。肩部８は、正多角筒状に形成してあり、ピンチグリップ式ボトル型容器１内の圧力が変動したときに各パネル壁が湾曲変形する。口部１０は円筒状で、外周面に螺条を有している。
【００２２】
胴部２の上下両端部、すなわち胴部２と底部６、および胴部２と肩部８との境界部分には、胴部２の内面側に凹んだ、補強用のリブ１２が周方向に形成してある。
【００２３】
胴部２には、図２、または図３に示すように凹部５が対向して形成してあり、この２つの凹部５と、両凹部５の間に位置する背壁７とによりグリップ部３が一体に形成されている。
【００２４】
凹部５は、胴部２の側壁１４に対向して形成されており、一方の凹部５に親指を位置させ、他方の凹部５に親指以外の他の指を位置させ、片手で把持できる間隔で形成されている。また凹部５は、グリップ部３を握るとピンチグリップ式ボトル型容器１の中心付近を把持することとなるよう胴部２の中心をはさんで対向した位置の近辺で、胴部２の中央より上方側に形成してある。
【００２５】
凹部５の内部には、アーチ状の補強リブ１５が３箇所に設けてあり、凹部５内が四つの凹み１６に区画されている。この補強リブ１５により、凹み１６のいずれかに指先を安定して位置でき、また凹部５の機械的強度が高められている。各凹み１６の内面には、突出高さの低い滑り止め突片１８が形成してあり、グリップ部３を把持した手の指先の腹が押し付けられる。
【００２６】
また、補強リブ１４で区画された凹み１６には、小突部２０が形成されている。この小突部２０は、離型性を高めるとともに、凹み１６の底部を補強し、更には持ち易さを高めている。
【００２７】
凹部５の上側の端面は、凹部５から略直角に立ち上がっており、これによりグリップ部３を把持した手の親指や人差し指が下方から押付けられても、これを安定して支持し、手によるグリップ部３の把持動作を、安定させるようにしている。
【００２８】
背壁７は、凹部５の間にあって、図３に示すように片手で握れる幅で、胴部２の縦方向の長さ全体にわたりほぼ平坦に、ピンチグリップ式ボトル型容器１内の圧力が変動した際湾曲変形し、圧力変動を吸収するように形成してある。また背壁７は、図２に示すように胴部２の側壁からピンチグリップ式ボトル型容器１の内部に適宜入り込んだ位置に形成してあり、左右の凹部５に指を入れて握った際にその手の掌が直接当接する。
【００２９】
背壁７には、図３に示すようにリブ９が２本水平方向に形成してある。リブ９は、図２に示すように背壁７からピンチグリップ式ボトル型容器１の外側に三角状に突出しており、図４に示すようにほぼ等しい断面形状で背壁７の幅全体にわたって形成してある。
【００３０】
このようにピンチグリップ式ボトル型容器１は、背壁７にリブ９が形成してあるので、横方向からの押圧に対するグリップ部３の強度が高くなっており、ピンチグリップ式ボトル型容器１を薄肉に形成した場合であっても、グリップ部３を把持してピンチグリップ式ボトル型容器１を持ち上げた場合に、グリップ部３に変形を生じさせず、安定して取り扱うことができる。
【００３１】
またピンチグリップ式ボトル型容器１は、グリップ部３を把持したときに、リブ９が掌に直接当接することから、掌を介してグリップ部３に力を加えることができ、より取り扱いが容易となる。
【００３２】
また、リブ９は、成形用金型を若干変更するだけで形成でき、リブ９を設けたことにより製造コスト等を上昇させることがない。
【図面の簡単な説明】
【００３３】
【図１】本発明にかかるピンチグリップ式ボトル型容器の一実施形態を示す正面図である。
【図２】図１に示したピンチグリップ式ボトル型容器の側面図である。
【図３】図１に示したピンチグリップ式ボトル型容器の背面図である。
【図４】図２中、Ａ−Ａ線に沿って切断矢視した平断面図である。
【符号の説明】
【００３４】
１    ピンチグリップ式ボトル型容器
２    胴部
３    グリップ部
５    凹部
６    底部
７    背壁
８    肩部
９    リブ
１０  口部
１２  リブ
１５  補強リブ
１６  凹み
１８  滑り止め突片
２０  小突部
【図１】
2007145390.tif 000003
【図２】
2007145390.tif 000004
【図３】
2007145390.tif 000005
【図４】
2007145390.tif 000006